(57)【要約】【課題】コンテンツを記録したメディアに対するレーベルデータの印刷において、ユーザの利便性の向上を図ったレーベルデータの印刷を可能とするコンテンツ記録装置を提供する。【解決手段】本発明のコンテンツ記録装置は、メディアに記録したコンテンツ情報、コンテンツに関連するレーベルデータ情報および記録メディアを特定するメディア情報をそれぞれ関連付けて未印刷リストとして管理し、ユーザが未印刷リストの中から特定のレーベルデータを選択すると、ネットワークで接続された印刷装置に対して該特定のレーベルデータ情報と印刷要求を送信し、印刷が完了した該特定のレーベルデータ情報と、該特定のレーベルデータ情報と関連付けられたコンテンツと同一メディアに記録されているコンテンツのレーベルデータ情報を未印刷リストから削除する。【選択図】図２
2010033627.tif 000002
【特許請求の範囲】
【請求項１】
記録メディアに印刷する機能を備えた印刷装置とネットワークで接続され、前記印刷装置に対して前記記録メディアへの印刷要求およびレーベルデータ情報を送信するコンテンツ記録装置であって、
前記記録メディアに対してコンテンツの記録を行うコンテンツ記録手段と、
前記コンテンツ記録手段において記録したコンテンツに関連するレーベルデータ情報を取得するレーベルデータ情報取得手段と、
前記記録メディアに記録されたコンテンツに関する情報を読み出すメディア情報取得手段と、
前記コンテンツ記録手段において記録したコンテンツに関する情報および記録した記録メディアに関する情報を保持し、これら保持している情報と前記メディア情報取得手段により読み出したコンテンツに関する情報とを比較することにより、記録メディア毎に記録されているコンテンツと前記レーベルデータ情報取得手段において取得したレーベルデータ情報とをそれぞれ関連付け、関連情報として管理する情報管理手段と、
前記情報管理手段において管理されている前記関連情報を基に、ユーザが選択した特定の記録メディアに印刷するための特定のレーベルデータ情報と印刷要求を、前記ネットワークを介して前記印刷装置に対して送信する通信手段と、
を備えることを特徴とするコンテンツ記録装置。
【請求項２】
前記情報管理手段に保持されている前記関連情報に基づいて、記録メディア情報、コンテンツ情報およびレーベルデータ情報の関連が識別可能な形式で表示する表示手段をさらに備えたことを特徴とする請求項１記載のコンテンツ記録装置。
【請求項３】
前記印刷装置に対して、前記通信手段によりユーザが選択した特定の記録メディアに印刷するための特定のレーベルデータ情報と印刷要求を送信した後、前記情報管理手段が保持する前記関連情報から、前記特定のレーベルデータ情報を削除することを特徴とする請求項１または２記載のコンテンツ記録装置。
【請求項４】
前記印刷装置に対して、前記通信手段によりユーザが選択した特定の記録メディアに印刷するための特定のレーベルデータ情報と印刷要求を送信した後、前記情報管理手段が保持する前記関連情報から、前記特定のレーベルデータ情報とともに、前記特定のレーベルデータ情報に関連付けられたコンテンツが記録されている記録メディアと、同一の記録メディアに記録されているコンテンツに関連するレーベルデータ情報を削除することを特徴とする請求項１または２記載のコンテンツ記録装置。
【発明の詳細な説明】
【技術分野】
【０００１】
本発明は、コンテンツに関連するレーベルデータを、印刷装置において容易に記録メディアに印刷することを可能にするコンテンツ記録装置に関する。
【背景技術】
【０００２】
従来、放送番組などの映像コンテンツを保存する一つの方法として、ＤＶＤ（Ｄｉｇｉｔａｌ  Ｖｅｒｓａｔｉｌｅ  Ｄｉｓｃ）などの記録メディアに記録する方法があるが、このような記録メディアは、外観的にどのようなコンテンツが記録されているかを把握するのが困難である。そこで、プリンタ等の印刷機器（印刷装置）を利用して、記録メディアの表面に記録されているコンテンツに関連する情報を印刷し、記録メディアに記録されているコンテンツを容易に判断できるようにする方法が一般的に行われている。この場合、印刷する主たる情報としては、コンテンツのタイトル名や録画日時等がある。
【０００３】
また、記録メディアに記録しているコンテンツに関連したレーベルデータを印刷する方法も提案されている。記録したコンテンツに関連するレーベルデータを記録メディアの表面に印刷する方法としては、記録したコンテンツに関連する画像をインターネット経由で取得して印刷するものや、例えば、特許文献１に開示されているような、記録メディアから、該記録メディアに記録されているコンテンツの内容を表すメディア情報を読み出して、印刷機器でメディア情報に対応するラベル情報（ラベル画像）を生成して印刷するもの等がある。このように、記録メディアの表面にレーベルデータの印刷を行えば、記録メディアに記録されているコンテンツの内容を容易に把握することができる。
【特許文献１】特開２００７−１５２７０８号公報
【発明の開示】
【発明が解決しようとする課題】
【０００４】
しかしながら、特許文献１に開示されているような従来技術においては、ユーザが複数枚の記録メディアに対してコンテンツの記録とレーベルデータの印刷とを行う場合、まず、複数枚の記録メディアに対してコンテンツの記録を行った後、それら複数枚の記録メディアに対してレーベルデータの印刷を実行するといった手順を踏むのが一般的であるが、この場合、ユーザは、複数枚の記録メディアに対するコンテンツの記録を終えた後、記録メディアに対してレーベルデータの印刷を実行する前に、記録メディアからメディア情報を読み出す必要があるために、改めて記録メディアを該記録メディアの記録再生装置にセットするという手順が必要となる。このように、記録メディアの枚数が多くなった場合に、ユーザが実行するレーベルデータの印刷の操作が非常に煩雑になるという課題があった。
【０００５】
本発明は、以上のような問題点に鑑みてなされたものであり、その目的とするところは、記録メディアに記録されたコンテンツに関連するレーベルデータの印刷において、ユーザの利便性の向上を図ったレーベルデータの印刷を可能とするコンテンツ記録装置を提供することである。
【課題を解決するための手段】
【０００６】
上記目的を達成するために、本願の第１の発明のコンテンツ記録装置は、記録メディアに印刷する機能を備えた印刷装置とネットワークで接続され、前記印刷装置に対して前記記録メディアへの印刷要求およびレーベルデータ情報を送信するコンテンツ記録装置であって、前記記録メディアに対してコンテンツの記録を行うコンテンツ記録手段と、前記コンテンツ記録手段において記録したコンテンツに関連するレーベルデータ情報を取得するレーベルデータ情報取得手段と、前記記録メディアに記録されたコンテンツに関する情報を読み出すメディア情報取得手段と、前記コンテンツ記録手段において記録したコンテンツに関する情報および記録した記録メディアに関する情報を保持し、これら保持している情報と前記メディア情報取得手段により読み出したコンテンツに関する情報とを比較することにより、記録メディア毎に記録されているコンテンツと前記レーベルデータ情報取得手段において取得したレーベルデータ情報とをそれぞれ関連付け、関連情報として管理する情報管理手段と、前記情報管理手段において管理されている前記関連情報を基に、ユーザが選択した特定の記録メディアに印刷するための特定のレーベルデータ情報と印刷要求を、前記ネットワークを介して前記印刷装置に対して送信する通信手段と、を備えることを特徴とするものである。
【０００７】
また、本願の第２の発明のコンテンツ記録装置は、本願の第１の発明のコンテンツ記録装置において、前記情報管理手段に保持されている前記関連情報に基づいて、記録メディア情報、コンテンツ情報およびレーベルデータ情報の関連が識別可能な形式で表示する表示手段をさらに備えたことを特徴とするものである。
【０００８】
また、本願の第３の発明のコンテンツ記録装置は、本願の第１または第２の発明のコンテンツ記録装置において、前記印刷装置に対して、前記通信手段によりユーザが選択した特定の記録メディアに印刷するための特定のレーベルデータ情報と印刷要求を送信した後、前記情報管理手段が保持する前記関連情報から、前記特定のレーベルデータ情報を削除することを特徴とするものである。
【０００９】
また、本願の第４の発明のコンテンツ記録装置は、本願の第１または第２の発明のコンテンツ記録装置において、前記印刷装置に対して、前記通信手段によりユーザが選択した特定の記録メディアに印刷するための特定のレーベルデータ情報と印刷要求を送信した後、前記情報管理手段が保持する前記関連情報から、前記特定のレーベルデータ情報とともに、前記特定のレーベルデータ情報に関連付けられたコンテンツが記録されている記録メディアと、同一の記録メディアに記録されているコンテンツに関連するレーベルデータ情報を削除することを特徴とするものである。
【発明の効果】
【００１０】
本発明によれば、未印刷のレーベルデータ情報の中から特定のレーベルデータ情報を選択することで、レーベルデータの印刷を実行することができるとともに、不要なレーベルデータ情報を削除するため、レーベルデータの印刷を容易に、かつ、印刷誤りの可能性を低減して実行することが可能になる。
【発明を実施するための最良の形態】
【００１１】
以下に、本発明を実施するための最良の形態について、図面を参照して説明する。
【００１２】
（実施の形態１）
まず、図１を用いて、本発明の実施の形態１に係るコンテンツ記録装置２００が、ネットワーク１０を介して印刷装置１００と接続される接続例について説明する。なお、図１は、本発明の実施の形態１に係るコンテンツ記録装置がネットワークを介して印刷装置と接続される接続例を示す図である。
【００１３】
図１において、コンテンツ記録装置２００は、ネットワーク１０を介して印刷装置１００と接続されている。ここで、印刷装置１００は、記録メディアの表面にレーベルデータの印刷を行うことのできるプリンタ等であり、コンテンツ記録装置２００は、記録メディアに対してコンテンツの記録を行うことができるＰＣ（Ｐｅｒｓｏｎａｌ  Ｃｏｍｐｕｔｅｒ）やＤＶＤレコーダ等である。また、コンテンツ記録装置２００には記録メディア２１０がセットされている。この記録メディア２１０は、ＤＶＤやＣＤ（Ｃｏｍｐａｃｔ  Ｄｉｓｃ）等のメディアである。
【００１４】
コンテンツ記録装置２００においてコンテンツの記録が完了した記録メディアは、ユーザによってコンテンツ記録装置２００から取り出され、その後印刷装置１００にセットされる。印刷装置１００は、セットされた記録メディアの表面に記録したコンテンツに関連するレーベルデータの印刷を行う。
【００１５】
印刷装置１００およびコンテンツ記録装置２００は、共にネットワーク１０を介して通信を行う機能を有している。印刷装置１００は、印刷装置１００を操作するユーザからの命令によって印刷を実行する以外に、コンテンツ記録装置２００からネットワーク１０を介して印刷要求を受信し、印刷を実行することができる。このとき、印刷装置１００は、印刷するレーベルデータを、ネットワーク１０を介してコンテンツ記録装置２００から取得してもよいし、ネットワーク１０およびネットワーク１０に接続されたインターネット（図示せず）を介して取得してもよい。ネットワーク１０、またはネットワーク１０およびネットワーク１０に接続されたインターネットを介してレーベルデータを取得する場合、レーベルデータの格納先の情報はコンテンツ記録装置２００から通知される。
【００１６】
次に、図２を用いて、本発明の実施の形態１に係るコンテンツ記録装置２００の構成について説明する。なお、図２は、本発明の実施の形態１に係るコンテンツ記録装置の構成を示すブロック図である。
【００１７】
図２において、コンテンツ記録装置２００は、放送受信手段２０１、レーベルデータ情報取得手段２０２、コンテンツ記録手段２０３、メディア情報取得手段２０４、情報管理手段２０５、制御手段２０６、通信手段２０７、入力手段２０８および表示手段２０９を備える。また、コンテンツ記録装置２００には記録メディア２１０がセットされている。
【００１８】
以上のように構成されたコンテンツ記録装置２００において、ユーザが所望の放送番組の録画を、入力手段２０８を介して指示すると、放送受信手段２０１はユーザが所望した放送番組のＡＶデータを受信して復調および復号を行い、放送受信手段２０１において復調および復号されたコンテンツ（ＡＶデータ）は、コンテンツ記録手段２０３により記録メディア２１０に記録される。
【００１９】
なお、コンテンツ記録手段２０３は、記録メディアへの書き込み機能を有するドライブ等で構成される。また、コンテンツ記録手段２０３は、記録メディア２１０に対して記録したコンテンツに関する情報（以下、コンテンツ情報と称す）を、情報管理手段２０５に対して通知する。この情報管理手段２０５は、コンテンツ情報などを記憶しておくメモリ等で構成される。
【００２０】
ここで、放送にはコンテンツ（ＡＶデータ）とともに、コンテンツに関連するレーベルデータの格納先情報に関するデータが多重化して送られてくるものとする。格納先情報としては、インターネット上での格納場所を示したＵＲＬ（Ｕｎｉｆｏｒｍ  Ｒｅｓｏｕｒｃｅ  Ｌｏｃａｔｅｒ）等を活用することができる。
【００２１】
レーベルデータ情報取得手段２０２は、放送受信手段２０１において受信した放送データから、コンテンツに関連するレーベルデータの格納先情報を抽出して取得し、その取得したレーベルデータの格納先情報を情報管理手段２０５に対して通知する。
【００２２】
メディア情報取得手段２０４は、コンテンツ記録装置２００にセットされた記録メディア２１０の情報を読み出す機能を有するドライブ等で構成される。メディア情報取得手段２０４は、記録メディア２１０に記録されているコンテンツ情報を読み出すと、その読み出したコンテンツ情報、例えば、コンテンツの一覧などの情報を情報管理手段２０５に通知する。
【００２３】
情報管理手段２０５がメディア情報取得手段２０４から取得したコンテンツ情報は、すべて同一の記録メディアに格納されているものであるので、情報管理手段２０５において保持されているコンテンツ情報と、メディア情報取得手段２０４から取得したコンテンツ情報とを比較することにより、情報管理手段２０５において保持されているコンテンツ情報の中のどのコンテンツが、同一の記録メディア内に記録されているかを判断することができる。
【００２４】
情報管理手段２０５では、コンテンツ情報と、コンテンツに関連付けられたレーベルデータに関する情報（以下、レーベルデータ情報と称す）と、コンテンツが格納された記録メディアの情報とをそれぞれ関連付けリストとして管理する。コンテンツ記録手段２０３において、複数のメディアに対してそれぞれ複数のコンテンツを記録する場合、情報管理手段２０５では、記録したコンテンツの数だけ、コンテンツ情報、レーベルデータ情報および記録メディアの情報を保持しておくことになる。これらの情報は、記録メディアへのコンテンツの記録のみが完了し、記録メディアへのレーベルデータの印刷が完了していないコンテンツの情報であり、図４に示すような形式でリストとして保持される。なお、図４は、本発明の実施の形態１における未印刷記録メディアリストの一例を示す図である。ここで、未印刷記録メディアリストとは、レーベル印刷が終わっていない記録メディアに関する情報を一覧表にリストアップしたものである。
【００２５】
図４においては、コンテンツ情報としてコンテンツのタイトル名を保持し、レーベルデータ情報としてレーベルデータの格納先ＵＲＬを保持し、記録メディア情報としてメディアを一意に識別することができるＩＤを保持している。また、これらの情報をリスト管理するために、各々のコンテンツに対してコンテンツＩＤが割り振られている。
【００２６】
表示手段２０９は、情報管理手段２０５において保持されているリスト情報などを表示するモニタであり、ＬＣＤ（Ｌｉｑｕｉｄ  Ｃｒｙｓｔａｌ  Ｄｉｓｐｌａｙ）やＣＲＴ（Ｃａｔｈｏｄｅ−Ｒａｙ  Ｔｕｂｅ）等で構成される。なお、表示手段２０９は必ずしもコンテンツ記録装置２００に具備される必要はなく、例えば、ケーブルを介して接続された外部モニタであってもよい。表示手段２０９における表示画面の一例を図５に示す。表示手段２０９では、図５に示すように、印刷の実行が完了していないレーベルデータ情報をリストとして表示する。以降、このリストを未印刷リストと呼ぶ。
【００２７】
ユーザが、未印刷リストの中から特定のレーベルデータ情報を選択し、その選択した情報を入力手段２０８に入力すると、ユーザにより選択したレーベルデータ情報が入力手段２０８を経由して制御手段２０６に入力される。制御手段２０６は、ユーザからのレーベルデータ情報を受け取ると、通信手段２０７に対して印刷の実行を要求する。通信手段２０７は、制御手段２０６から印刷の実行要求を受け取ると、ネットワーク１０を介して接続された印刷装置１００に対して印刷要求を送信する。このとき、制御手段２０６から取得したレーベルデータ情報も併せて送信する。
【００２８】
このように、コンテンツ記録装置２００においては、記録メディアへの記録が完了したコンテンツ情報を情報管理手段２０５において保持し、ユーザにより選択されたコンテンツのレーベルデータ情報を印刷装置１００に対して送信することにより、印刷装置１００においてレーベルデータの印刷を行っている。
【００２９】
次に、図３を用いて、コンテンツ記録装置２００におけるレーベル印刷実行時の手順について説明する。なお、図３は、本発明の実施の形態１におけるレーベル印刷実行時の動作手順を示すフローチャートである。
【００３０】
図３において、コンテンツ記録装置２００は、まず、未印刷リストを表示する（Ｓ３１）。この未印刷リストは、情報管理手段２０５において保持され、印刷が完了していないレーベルデータ情報を一覧で示したものであり、具体的には図５に示すような形で表示される。なお、図５は、Ｍｅｄｉａ−１印刷実行前の未印刷リストの表示画面の一例を示す図である。図５においては、コンテンツのタイトル名とコンテンツの格納先ＵＲＬとを、記録メディアごとに分類した形で表示している。なお、表示手段２０９において表示する未印刷リストの形式は、この様な形に限定されるものではなく、コンテンツのレーベルデータ情報とコンテンツを格納している記録メディアとを識別することができる形式のものであればよい。例えば、レーベルデータの画像をサムネイル表示してもよいし、コンテンツの録画日時やその他の付加情報などを表示するようにしてもよい。
【００３１】
次に、未印刷リストの中から、ユーザが印刷を実行したいレーベルデータ情報を選択する（Ｓ３２）。ここでは、図５に表示されているレーベルデータ情報一覧のうち、ユーザは「昼ドラ第６話」のレーベルデータを選択して印刷を実行することを所望しているものとする。
【００３２】
ステップＳ３２において、ユーザにより所望のレーベルデータ情報が選択されると、コンテンツ記録装置２００は、印刷装置１００に対して印刷要求を送信する（Ｓ３３）。このとき、コンテンツ記録装置２００は、同時にレーベルデータの格納先情報も印刷装置１００に対して通知する。コンテンツ記録装置２００からの印刷要求を受信した印刷装置１００は、セットされている記録メディア２１０の表面にレーベルデータを印刷する。このとき印刷するデータは、コンテンツ記録装置２００から取得した格納先情報に格納されているレーベルデータである。
【００３３】
なお、コンテンツ記録装置２００がネットワーク１０を介して印刷装置１００に通知するレーベルデータ情報は、レーベルデータの格納先情報に限るものではなく、レーベルデータそのものであってもよい。この場合、印刷装置１００は、コンテンツ記録装置２００から取得したレーベルデータをメディアの表面に印刷する。
【００３４】
印刷装置１００においてレーベルデータの印刷が完了すると、印刷装置１００はコンテンツ記録装置２００に対して印刷が完了した旨の通知を行い、コンテンツ記録装置２００は印刷装置１００から送信された印刷完了通知を受信する（Ｓ３４）。
【００３５】
ステップＳ３４において、レーベルデータの印刷完了通知を受信すると、コンテンツ記録装置２００は、未印刷リストの中から印刷が完了したレーベルデータ情報を削除する（Ｓ３５）。これは、印刷を完了したレーベルデータ情報は、それ以降は使用する必要がなくなるためである。図４に示す例の場合であれば、削除するレーベルデータ情報は、タイトル名が「昼ドラ第６話」のコンテンツ、つまり、コンテンツＩＤが２のコンテンツのレーベルデータ情報に相当する。
【００３６】
次に、レーベルデータの印刷を完了したレーベルデータ情報を有するコンテンツが記録されている記録メディアと、同一の記録メディアに記録されているコンテンツのレーベルデータ情報が存在するか否かを判定する（Ｓ３６）。同一の記録メディアに記録されているレーベルデータ情報が存在する（ステップＳ３６においてＹＥＳ）場合、コンテンツ記録装置２００は、それらのレーベルデータ情報も同様に削除する（Ｓ３７）。これは、レーベルデータの印刷を完了したコンテンツと同一の記録メディアに記録されているコンテンツのレーベルデータを、それ以降使用する可能性がないためである。
【００３７】
具体的には、図４に示す例の場合、タイトル名が昼ドラ第５話、昼ドラ第６話および昼ドラ第７話が記録された記録メディア（Ｍｅｄｉａ  ＩＤ：１）に対して、「昼ドラ第６話」のレーベルデータを印刷した場合、記録メディア（Ｍｅｄｉａ  ＩＤ：１）以外の記録メディアに対して「昼ドラ第６話」のレーベルデータや「昼ドラ第５話」および「昼ドラ第７話」のレーベルデータを印刷することはない。そのため、「昼ドラ第６話」のレーベルデータの印刷を完了した時点で、「昼ドラ第５話」および「昼ドラ第７話」のレーベルデータ情報は不要なものになることがわかる。このように、これら不要なレーベルデータ情報を削除することにより、不要なレーベルデータ情報が残り続けることを防ぎ、以降、ユーザがレーベルデータ情報を選択する際に選択肢を減らすことによって、ユーザの利便性の向上を図ることができる。
【００３８】
ステップＳ３２においては、コンテンツＩＤが２のコンテンツのレーベルデータ情報を選択したため、コンテンツＩＤが２のコンテンツが記録されている記録メディアと同一の記録メディアに記録されているコンテンツが存在するか否かを判定する。図４においては、コンテンツＩＤが１、２、３の３つのコンテンツは、メディアＩＤが１の同一の記録メディアに記録されていることがわかる。したがって、ここではコンテンツＩＤが１と３のコンテンツが有するレーベルデータ情報も未印刷リストから削除する。
【００３９】
一方、同一の記録メディアに記録されているレーベルデータ情報が存在しない（ステップＳ３６においてＮＯ）場合は、削除すべきレーベルデータ情報が存在しないため、ステップＳ３８に移行する。具体的には、図４のリストにおいて、コンテンツＩＤが４のコンテンツや、コンテンツＩＤが７のコンテンツを選択した場合には、同一の記録メディアに記録されている他のコンテンツは存在しないため、ステップＳ３６における判定はＮＯとなりステップＳ３８に移行する。
【００４０】
ステップＳ３８においては、コンテンツ記録装置２００は、情報管理手段２０５が保持しているレーベルデータ情報を更新したことに伴い、表示手段２０９が表示している未印刷リストの情報を更新する。以上のような手順でレーベルデータ情報を削除した場合、更新された未印刷リストの情報は図６に示されるようになる。なお、図６は、Ｍｅｄｉａ−１印刷実行後の未印刷リストの表示画面の一例を示す図である。
【００４１】
図６と図５を比較すると、印刷が完了したコンテンツのレーベルデータ情報のみならず、印刷が完了したコンテンツと同一の記録メディアに記録されているコンテンツのレーベルデータ情報も、削除されていることがわかる。このように、印刷を完了したコンテンツと同一の記録メディアに格納されているコンテンツのレーベルデータ情報を削除することにより、不要なレーベルデータ情報が残り続けることがなく、以降、レーベルデータの印刷を行う際に、ユーザが容易にレーベルデータ情報を選択することが可能になる。
【００４２】
以上のように構成することにより、記録メディアに記録したコンテンツに関連するレーベルデータを印刷する際に、ユーザは一覧表示されたリストの中から所望のレーベルデータ情報を選択するだけで、メディアへの印刷を実行することができる。また、印刷が完了したレーベルデータ情報をリストから削除させて一覧表示することにより、以降ユーザが誤って別のレーベルデータを印刷する可能性を低減させることができる。さらに、印刷が完了すると、印刷が完了したレーベルデータ情報とともに、同一の記録メディアに記録されているコンテンツのレーベルデータ情報を削除することにより、不要なレーベルデータ情報が残り続けることを防ぐことがで、ユーザが誤って別のレーベルデータを印刷する可能性をさらに低減させることができる。
【００４３】
なお、本発明の実施の形態１においては、コンテンツが記録されている記録メディアを特定するための方法として、メディア情報取得手段２０４においてコンテンツ記録装置２００にセットされた記録メディア２１０に記録されているコンテンツ情報を読み出すものとしたが、これに限るものではなく、例えば、コンテンツ記録装置２００が記録メディア２１０を挿入するディスクドライブを備えていれば、ディスクドライブのトレイがオープン／クローズの動作をしたタイミングでメディアの交換がなされたものと判断できるため、このようなトレイの動作などの情報に基づいてメディアを特定することも可能である。
【００４４】
また、本発明の実施の形態１においては、印刷を完了したレーベルデータ情報は、情報管理手段２０５が保持する情報の中から無条件で削除するものとしたが、これに限るものではなく、例えば、印刷を完了したレーベルデータ情報の削除を行うことをユーザに確認させるための画面を表示手段２０９に表示し、ユーザが削除を許可した場合にレーベルデータ情報を削除するようにしてもよい。また、印刷が完了したコンテンツが格納されている記録メディアと、同一の記録メディアに格納されているコンテンツのレーベルデータ情報を削除する場合においても、同様に、ユーザに確認を促す画面を表示手段２０９に表示し、ユーザが削除を許可した場合に削除するようにしてもよい。この場合、削除を実行するかしないかは、ユーザによって選択され、削除を許可するかしないかの情報は入力手段２０８から入力される。ユーザが削除を許可した場合には、情報管理手段２０５から削除が許可されたレーベルデータ情報を削除する。
【００４５】
また、本発明の実施の形態１においては、コンテンツとコンテンツに関連付けられたレーベルデータ情報とは１対１で対応することを前提としたが、一つのコンテンツに対して複数のレーベルデータ情報が存在する場合や、複数のコンテンツが同一のレーベルデータ情報を共有する場合であっても、以下に示すように本発明は適用可能である。
【００４６】
一つのコンテンツに対して複数のレーベルデータ情報が存在する場合、未印刷リストには、複数のレーベルデータ情報も含めてすべてのレーベルデータ情報を表示する。レーベルデータの印刷の実行が完了すると、レーベルデータ情報が複数であるかどうかに関わらず、印刷を実行したコンテンツが記録されている記録メディアと、同一の記録メディアに記録されているレーベルデータ情報に関しては、すべて削除する処理を実行する。
【００４７】
複数のコンテンツが同一のレーベルデータ情報を共有する場合（例えば、シリーズ番組のコンテンツでレーベルデータ情報が一つしか存在しないような場合）で、かつ、それら複数のコンテンツが別々の記録メディアに格納されている場合であれば、図５に示すような未印刷リストは、記録メディア毎に分類して、同じレーベルデータ情報を複数表示してもよいし、一つだけ表示してもよい。この場合、１枚の記録メディアに対してレーベルデータの印刷が完了しても、印刷が完了していない別の記録メディアには、同じレーベルデータ情報を有するコンテンツが記録されているため、未印刷リストからレーベルデータ情報の削除は行わず、同じレーベルデータ情報を有するコンテンツを記録したすべての記録メディアに対して、レーベルデータの印刷が完了した時点で行うものとする。
【００４８】
また、本発明の実施の形態１においては、情報管理手段２０５が保持するレーベルデータ情報はレーベルデータの格納先ＵＲＬとしたが、レーベルデータ情報はＵＲＬに限るものではなく、例えば、レーベルデータの画像ファイルであってもよい。レーベルデータの画像ファイルを取得する方法としては、放送に多重化されて送信されてきたものを放送受信手段２０１で取得するか、あるいは、放送に多重化されて送信されてきたＵＲＬにアクセスしてインターネット経由で取得するといったような方法が考えられる。
【００４９】
また、本発明の実施の形態１においては、記録コンテンツは放送番組を例に挙げて説明したが、これに限るものではなく、例えば、インターネット経由で取得した動画コンテンツなどであってもよい。
【００５０】
また、本発明の実施の形態１においては、レーベルデータ情報は放送に多重化されてくることにより、コンテンツとレーベルデータ情報との関連付けを可能とすることを保証しているが、関連付けのなされていないコンテンツに対しても本発明は適用可能である。例えば、コンテンツとレーベルデータ情報との関連付けを行う機能を有するサーバ機器をネットワーク上に設置し、コンテンツ記録装置２００からネットワークを介してサーバ機器に対してコンテンツ情報を通知すれば、コンテンツに関連するレーベルデータ情報を取得することは可能である。
【００５１】
また、本発明の実施の形態１においては、受信したコンテンツは直接コンテンツ記録手段２０３により記録メディア２１０に記録するものとしたが、これに限るものではなく、例えば、コンテンツ記録装置２００がＨＤＤ（Ｈａｒｄ  Ｄｉｓｋ  Ｄｒｉｖｅ）などの記録メディアを備え、受信したコンテンツを一旦ＨＤＤに記録し、ＨＤＤからＤＶＤ等の記録メディアに対してコピー（複製）またはムーブ（移動）するといった記録方法であってもかまわない。
【００５２】
また、本発明の実施の形態１においては、受信するコンテンツのデータは映像データを含むＡＶデータの場合を例に挙げて説明したが、これに限るものではなく、例えば、受信するコンテンツのデータは音声データのみであってもかまわない。
【産業上の利用可能性】
【００５３】
本発明は、取り外し可能な記録メディアに対してコンテンツの記録を行うＤＶＤレコーダ等のコンテンツ記録装置において有用である。
【図面の簡単な説明】
【００５４】
【図１】本発明の実施の形態１に係るコンテンツ記録装置がネットワークを介して印刷装置と接続される接続例を示す図
【図２】本発明の実施の形態１に係るコンテンツ記録装置の構成を示すブロック図
【図３】本発明の実施の形態１におけるレーベル印刷実行時の動作手順を示すフローチャート
【図４】本発明の実施の形態１における未印刷記録メディアリストの一例を示す図
【図５】Ｍｅｄｉａ−１印刷実行前の未印刷リストの表示画面の一例を示す図
【図６】Ｍｅｄｉａ−１印刷実行後の未印刷リストの表示画面の一例を示す図
【符号の説明】
【００５５】
１０  ネットワーク
１００  印刷装置
２００  コンテンツ記録装置
２０１  放送受信手段
２０２  レーベルデータ情報取得手段
２０３  コンテンツ記録手段
２０４  メディア情報取得手段
２０５  情報管理手段
２０６  制御手段
２０７  通信手段
２０８  入力手段
２０９  表示手段
２１０  記録メディア
【図１】
2010033627.tif 000003
【図２】
2010033627.tif 000004
【図３】
2010033627.tif 000005
【図４】
2010033627.tif 000006
【図５】
2010033627.tif 000007
【図６】
2010033627.tif 000008